(57)【要約】【課題】シートバックを受台上に車両シートに対して後向きに固定する場合、シートバックの車両シートに対する角度を容易に調節することができるチャイルドシートを提供する。【解決手段】チャイルドシート１０は、ショルダーベルト１１ａとラップベルト１１ｂとを含む車両シートベルト１１を有する車両シート１２に載置される。このチャイルドシート１０は、受台１３と、受台１３上に、受台１３と分離自在となり、車両シート１２に対して後向きの状態で固定されるとともに、座部セクション１４と背部セクション１５とを有するシートバック１６とを備えている。シートバック１６が受台１３上に車両シート１２に対して後向きで固定される際、受台１３のうち車両シート１２の座面１２ａに当接する部分１３ａが車両の進行方向に沿って湾曲し、これにより、シートバック１６および受台１３の位置を調整自在となっている。【選択図】図１
2008168849.tif 000002
【特許請求の範囲】
【請求項１】
ショルダーベルトとラップベルトとを含む車両シートベルトを有する車両シートに載置されるチャイルドシートにおいて、
車両シートに載置される受台と、
受台上に、受台と分離自在となって車両シートに対して後向きの状態で固定されるとともに、座部セクションと背部セクションとを有するシートバックと、を備え、
シートバックが受台上に車両シートに対して後向きで固定される際、受台のうち車両シート座面に当接する部分が、車両の進行方向に沿って湾曲し、これにより、車両シートに対するシートバックおよび受台の位置を調整自在となっていることを特徴とするチャイルドシート。
【請求項２】
シートバックの背部セクションのうち、乳児が乗った場合のチャイルドシートの重心より上方に、ショルダーベルトを係合するショルダーベルト係合部が設けられ、
受台にショルダーベルトを係合する仮係合部が設けられ、
受台にラップベルトを係合するラップベルト係合部が設けられていることを特徴とする請求項１に記載のチャイルドシート。
【請求項３】
シートバックは、受台上に車両シートに対して前向きに固定することが可能となっていることを特徴とする請求項１または２に記載のチャイルドシート。
【請求項４】
シートバックが受台上に車両シートに対して前向きの状態で固定される際、受台のうち車両シート座面に当接する部分が平坦面となっていることを特徴とする請求項３に記載のチャイルドシート。
【発明の詳細な説明】
【技術分野】
【０００１】
本発明は、受台とシートバックとが互いに分離可能なチャイルドシートに係り、とりわけシートバックを受台上に車両シートに対して後向きに固定する場合、シートバックの車両シートに対する角度を容易に調節することができるチャイルドシートに関する。
【背景技術】
【０００２】
従来より、チャイルドシートを前後に向きを変えることにより、子供を前向きにも後向きにも乗せることができるチャイルドシート（以下、前向き／後向き兼用チャイルドシートともいう）が知られている。このような前向き／後向き兼用チャイルドシートは、比較的大きいシートバックを有している。このため、とりわけチャイルドシートを後向きに取り付ける際、車両シートベルトを十分に伸ばすことができず、車両シートベルトをシートバックの背部セクション側に回り込ませることがむずかしい。したがって、上述した前向き／後向き兼用チャイルドシートにおいて、シートバックの背部セクションに車両シートベルトを係合させる係合部が設けられているものは見当たらないのが実情である。
【０００３】
また、前向き／後向き兼用チャイルドシートであって、受台とシートバックとが互いに分離可能なチャイルドシート（以下、受台分離式チャイルドシートともいう）が知られている。このようなチャイルドシートにおいて、一般に、車両シートベルトを係合させる係合部は受台にのみ設けられている。また、このようなチャイルドシートにおいて、シートバックを車両シートに対して後向きに固定する場合、車両シートベルトを受台の係合部に係合させることにより受台を車両シートに固定し、その後シートバックを受台に取り付けている。
【０００４】
また、従来の受台分離式チャイルドシートでは、シートバックを受台に取り付けるための取付機構（図示せず）が設けられるとともに、当該取付機構とは別に、シートバックの受台に対する（強いては車両に対する）傾斜角度を調整するための調整機構（図示せず）が設けられている。
【発明の開示】
【発明が解決しようとする課題】
【０００５】
すなわち、上述したようなチャイルドシートは、車両シートベルトがシートバックに直接係合する構造とはなっていないため、シートバックは車両シートベルトにより直接保持されていない。したがって、仮にシートバックと受台とを接続する接続部分の強度が不十分であると、車両が衝突して接続部分に強い負荷が加わった際、接続部分が破損してシートバックが受台から外れるおそれがある。このため、シートバックと受台とを接続する接続部分は、一般に高い強度を有する構造からなっている。
【０００６】
また、このようなチャイルドシートにおいて、シートバックの背部セクションに車両用ベルトを係合させる係合部を設け、この係合部に車両用ベルトを係合させることにより、シートバックを車両シートに対して後向きに固定することも考えられる。しかしながら、この係合部が、乳児が乗った場合における重心より下方に設けられている場合、車両が衝突した際シートバックが車両の進行方向に回転するおそれがある。すなわち、シートバックの背部セクションが横向きとなる方向に（車両の進行方向に）シートバックが回転し、これに伴ないシートバック上の乳児も横向きとなる。この場合、乳児は、車両の衝突による衝撃を自分の背中で受け止めることができず、大きなダメージを受けるおそれがある。
【０００７】
さらに従来、前向き／後向き兼用チャイルドシートにおいて、シートバックを受台上に車両シートに対して後向きに固定する場合、受台のうち車両シートの座面に当接する部分が平坦となっているものが多い。このため、シートバックの車両シートに対する角度を柔軟に調整できないものが多い。また、従来の前向き／後向き兼用チャイルドシートにおいて、前向きまたは後向きの使用に対応して受台を前後に反転させることができるものも存在する。この場合、受台を前後に反転させるのに併せて角度調節部品を操作する必要があるため、受台を前後に反転させる作業が煩雑であるとともに角度調節部品を誤って操作するおそれがある。
【０００８】
また、従来の受台分離式チャイルドシートでは、上述のように、シートバックの受台に対する傾斜角度を調整するための調整機構が、シートバックを受台に取り付けるための取付機構とは別に設けられている。このため、調整機構を製造するコストがかかり、また調整機構を設けるためのスペースが必要となり、さらに調整機構を設ける分だけ重量が重くなっている。
【０００９】
本発明はこのような点を考慮してなされたものであり、シートバックを受台上に車両シートに対して後向きに固定する場合、シートバックの車両シートに対する角度を容易に調節することができるチャイルドシートを提供することを目的とする。
【課題を解決するための手段】
【００１０】
本発明は、ショルダーベルトとラップベルトとを含む車両シートベルトを有する車両シートに載置されるチャイルドシートにおいて、車両シートに載置される受台と、受台上に、受台と分離自在となって車両シートに対して後向きの状態で固定されるとともに、座部セクションと背部セクションとを有するシートバックと、を備え、シートバックが受台上に車両シートに対して後向きで固定される際、受台のうち車両シート座面に当接する部分が、車両の進行方向に沿って湾曲し、これにより、車両シートに対するシートバックおよび受台の位置を調整自在となっていることを特徴とするチャイルドシートである。
【００１１】
本発明は、シートバックの背部セクションのうち、乳児が乗った場合のチャイルドシートの重心より上方に、ショルダーベルトを係合するショルダーベルト係合部が設けられ、受台にショルダーベルトを係合する仮係合部が設けられ、受台にラップベルトを係合するラップベルト係合部が設けられていることを特徴とするチャイルドシートである。
【００１２】
本発明は、シートバックは、受台上に車両シートに対して前向きに固定することが可能となっていることを特徴とするチャイルドシートである。
【００１３】
本発明は、シートバックが受台上に車両シートに対して前向きの状態で固定される際、受台のうち車両シート座面に当接する部分が平坦面となっていることを特徴とするチャイルドシートである。
【発明の効果】
【００１４】
本発明によれば、シートバックが受台上に車両シートに後向きで固定される際、受台のうち車両シート座面に当接する部分が、車両の進行方向に沿って湾曲しているので、シートバックの車両シートに対する角度を容易に調節することができる。
【００１５】
また、本発明によれば、シートバックが受台上に車両シートに後向きで固定される際、受台のうち車両シート座面に当接する部分が、車両の進行方向に沿って湾曲しているので、車両の衝突の際、シートバックの背部セクションが容易に立ち上がる。
【００１６】
さらに、本発明によれば、シートバックの背部セクションのうち、乳児が乗った場合のチャイルドシートの重心より上方に、ショルダーベルトを係合するショルダーベルト係合部が設けられているので、シートバックと受台とを接続する接続部分への負荷を軽減することができる。また、車両の衝突の際、シートバックの背部セクションが立ち上がり、これにより乳児へ加わるダメージを緩和することができる。
【００１７】
さらにまた、本発明によれば、受台にショルダーベルトを係合する仮係合部が設けられているので、車両シートベルトをシートバックの背部セクションに容易に取り付けることができる。
【００１８】
さらにまた、本発明によれば、シートバックは受台上に車両シートに対して前向きに固定することが可能となっているので、子供の成長段階に合わせてチャイルドシートを適切に使用することができる。
【発明を実施するための最良の形態】
【００１９】
以下、本発明の一実施の形態について、図１乃至図１２を参照して説明する。
ここで、図１は、本発明の一実施の形態を示す側面図である。また、図２は、シートバックが受台上に車両シートに対して前向きに固定された状態を示す側面図である。また、図３（ａ）は、後側レバーの拡大図であり、図３（ｂ）は、第１穴および第２穴周辺の拡大図である。また、図３（ｃ）は、シートバックが受台上に車両シートに対して後向きの状態で固定される場合におけるシートバックと受台との取付状態を示す斜視図であり、図３（ｄ）は、前側レバーの拡大図である。また、図４（ａ）は、前側レバーの拡大図であり、図４（ｂ）は、係止穴部周辺の拡大図である。また、図４（ｃ）は、シートバックが受台上に車両シートに対して前向きの状態で固定される場合におけるシートバックと受台との取付状態を示す斜視図であり、図４（ｄ）は、フックの拡大図であり、図４（ｅ）は、接続シャフトの拡大図である。また、図５（ａ）（ｂ）（ｃ）は、チャイルドシートを車両シートに対して後向きの状態で固定する方法を示す斜視図であり、図６は、チャイルドシートを車両シートに対して前向きの状態で固定する方法を示す斜視図である。また、図７は、本実施の形態によるチャイルドシートの衝突時における作用を示す側面図である。図８（ａ）は、引っ張っていない状態の後側レバー２４を示した斜視図である。図８（ｂ）は、引っ張っていない状態の後側レバー２４を示した平面図である。図９（ａ）は、引っ張った状態の後側レバー２４を示した斜視図である。図９（ｂ）は、引っ張った状態の後側レバー２４を示した平面図である。図１０（ａ）は、引っ張っていない状態の前側レバー２３を示した斜視図である。図１０（ｂ）は、引っ張っていない状態の前側レバー２３を示した平面図である。図１１（ａ）は、引っ張った状態の前側レバー２３を示した斜視図である。図１１（ｂ）は、引っ張った状態の前側レバー２３を示した平面図である。図１２は、係止穴部３０と接続シャフト３２との関係を示す側方断面図である。
【００２０】
まず、図１乃至図４により本実施の形態によるチャイルドシートの概略について説明する。
図１に示すように、チャイルドシート１０は、ショルダーベルト１１ａとラップベルト１１ｂとを含む車両シートベルト１１を有する車両シート１２に載置されるものである。このチャイルドシート１０は、車両シート１２に載置される受台１３と、受台１３上に、受台１３と分離自在となって車両シート１２に対して後向きの状態で固定されるとともに、座部セクション１４と背部セクション１５とを有するシートバック１６とを備えている。
【００２１】
このシートバック１６の背部セクション１５のうち、乳児Ｂが乗った場合のチャイルドシート１０の重心Ｇより上方に、ショルダーベルト１１ａを係合するショルダーベルト係合部１９が設けられている。ここで、乳児Ｂが乗った場合のチャイルドシート１０の重心Ｇとは、チャイルドシート１０と乳児Ｂとを合体させた場合における合体物の重心Ｇのことをいう。
【００２２】
また、図１に示すように、シートバック１６が受台１３上に車両シート１２に対して後向きの状態で固定されており、この場合、後述する受台１３の湾曲部分１３ａは車両シート１２の座面１２ａ上にあり、受台１３の平坦部分１３ｂは車両シート１２の背面１２ｂ側にある。この場合、受台１３のうち車両シート１２の座面１２ａ側に設けられた湾曲部分１３ａ上部に仮係合部１７が設けられている。この仮係合部１７は、シートバック１６を受台１３に取り付ける際、ショルダーベルト１１ａを一時的に係合するためのものである。また、シートバック１６が受台１３上に車両シート１２に対して後向きの状態で固定される場合、受台１３のうち車両シート１２の背面１２ｂ側に設けられた平坦部分１３ｂ近傍に、受台１３にラップベルト１１ｂを係合するラップベルト係合部１８が設けられている。
【００２３】
また、図１に示すように、シートバック１６が受台１３上に車両シート１２に対して後向きで固定される際、受台１３のうち車両シート１２の座面１２ａに当接する部分１３ａ（以下、湾曲部分ともいう）は、上述のように車両の進行方向（図１の左方向）に沿って湾曲している。
【００２４】
次に、図３（ａ）（ｂ）（ｃ）（ｄ）を用いて、シートバック１６が受台１３上に車両シート１２に対して後向きの状態で固定される場合における、シートバック１６と受台１３とを互いに固定する手段について更に詳細に説明する。
【００２５】
図３（ｃ）に示すように、シートバック１６の座部セクション１４の先端側下面に、車両進行方向に対して左右に突出する第１ピン２１が設けられている。この第１ピン２１は、座部セクション１４上面に設けられた前側レバー２３と連動する（図３（ｄ）参照）。すなわち、前側レバー２３が引っ張られない状態で座部セクション１４の上面側に引込まれている場合、第１ピン２１は、車両進行方向に対して直交する左右に座部セクション１４から突出しており、前側レバー２３が引っ張られた場合、第１ピン２１は、座部セクション１４の内側に引き込まれるようになっている。
【００２６】
また、シートバック１６の座部セクション１４と背部セクション１５との境界部分下面に、車両進行方向に対して左右に突出する第２ピン２２が設けられている。この第２ピン２２は、座部セクション１４背面に設けられた後側レバー２４と連動する（図３（ａ）参照）。すなわち、後側レバー２４が引っ張られない状態で座部セクション１４の背面側に引込まれている場合、第２ピン２２は、車両進行方向に対して直交する左右に座部セクション１４から突出しており、後側レバー２４が引っ張られた場合、第２ピン２２は、座部セクション１４の内側に引き込まれるようになっている。
【００２７】
また、図３（ｂ）（ｃ）に示すように、受台１３上に、上述した第１ピン２１を係止可能な第１穴２５と、この第１穴２５から上方へ延びる第１傾斜部２８とがそれぞれ左右に１箇所ずつ設けられている。また、受台１３上に、上述した第２ピン２２を係止可能な第２穴２６と、この第２穴２６から上方へ延びる第２傾斜部２７とがそれぞれ左右に１箇所ずつ設けられている。
【００２８】
ところで、図２に示すように、シートバック１６は、受台１３上に車両シート１２に対して前向きに固定することも可能となっている。この場合、受台１３は、受台１３が車両シート１２に対して後向きの状態で固定される場合（図１参照）と比較して、車両の進行方向に対して逆向きに配置される。すなわち受台１３の湾曲部分１３ａは車両シート１２の背面１２ｂ側にあり、受台１３の平坦部分１３ｂは車両シート１２の座面１２ａ上にある。この場合、受台１３のうち平坦部分１３ｂ上方にラップベルト１１ｂが掛け渡されるガイド部２０が設けられ、シートバック１６は、ガイド部２０に掛け渡されたラップベルト１１ｂにより車両シート１２に対して固定され、また車両シート１２の背面１２ｂ側において仮係合部１７に掛け渡されたショルダーベルト１１ａにより車両シート１２に対して固定されている。
【００２９】
また、このようにシートバック１６が受台１３上に車両シート１２に対して前向きの状態で固定される際、受台１３のうち車両シート１２の座面１２ａに当接する部分１３ｂ（以下、平坦部分ともいう）は、上述のように平坦面となっている。
【００３０】
次に、図４（ａ）（ｂ）（ｃ）（ｄ）（ｅ）を用いて、シートバック１６が受台１３上に車両シート１２に対して前向きの状態で固定される場合における、シートバック１６と受台１３とを互いに固定する手段について更に詳細に説明する。
【００３１】
上述したように、シートバック１６の座部セクション１４の先端側下面に、車両進行方向に対して左右に突出する第１ピン２１が設けられている（図４（ｃ）参照）。この第１ピン２１は、上述したように、座部セクション１４上面に設けられた前側レバー２３と連動する（図４（ａ）参照）。また、座部セクション１４の背部セクション１５の背面に、受台１３側に突出するフック２９が設けられている（図４（ｃ）（ｄ）参照）。
【００３２】
また、図４（ｂ）に示すように、受台１３の一側端部（平坦部分１３ｂ側端部）の両側面に、第１ピン２１に係止する係止穴部３０と、この係止穴部３０から上方へ延びる第３傾斜部３１とが各々設けられている。また各係止穴部３０は、複数の係止穴３０ａ，３０ｂ，３０ｃからなり、具体的には、それぞれ下方に位置する立位穴３０ａと、中央に位置する中間穴３０ｂと、上方に位置する寝位穴３０ｃとを有している。また、図４（ｃ）に示すように、受台１３内側に、受台１３内でシートバック１６を傾斜させて傾斜角を変化させる際（後述）、第２ピン２２をガイドするためのガイド機構３３が設けられている。さらに、図４（ｃ）（ｅ）に示すように、受台１３の他側端部に、フック２９を引っ掛けるための接続シャフト３２（支軸３２）が設けられている。
【００３３】
また、図５（ａ）（ｂ）（ｃ）および図６に示すように、シートバック１６は、車両シート１２に対して前向き状態（図６参照）または後向きの状態（図５（ａ）（ｂ）（ｃ）参照）で載置可能となっている。
【００３４】
また、図４（ｃ）（ｄ）（ｅ）に示すように、受台１３の背部に接続シャフト３２が設けられ、シートバック１６の背部後面に、受台１３の接続シャフト３２と係合するフック２９が設けられ、このフック２９が接続シャフト３２に係合することによって、シートバック１６が受台１３に対して、接続シャフト３２を中心として揺動するようになっている。
【００３５】
また、図４（ｃ）に示すように、シートバック１６の座部セクション１４の下方前方部に、第１ピン２１が設けられている。そして、図４（ｃ）に示すように、シートバック１６が車両シート１２に対して前向き状態で載置されているとき、シートバック１６が受台１３に対して複数の傾斜位置で固定されるよう、受台１３にシートバック１６の第１ピン２１が係合する係止穴部３０（立位穴３０ａ、中間穴３０ｂおよび寝位穴３０ｃ）が設けられている。
【００３６】
また、図４（ｂ）（ｃ）に示すように、受台１３は、シートバック１６が車両シート１２に対して前向き状態で載置されているとき、第１ピン２１を各係止穴部３０（立位穴３０ａ、中間穴３０ｂおよび寝位穴３０ｃ）へ導く第３傾斜部３１を有している。
【００３７】
また、図３（ｂ）（ｃ）に示すように、受台１３は、シートバック１６が車両シート１２に対して後向き状態で載置されているとき、シートバック１６の第１ピン２１に係合する第１穴２５を有している。
【００３８】
また、図３（ｂ）（ｃ）に示すように、受台１３は、シートバック１６が車両シート１２に対して後向き状態で載置されているとき、シートバック１６の第２ピン２２に係合する第２穴２６を有している。
【００３９】
また、図３（ｂ）（ｃ）に示すように、受台１３は、シートバック１６が車両シート１２に対して後向き状態で載置されているとき、第１ピン２１を第１穴２５へ導く第１傾斜部２８と、第２ピン２２を第２穴２６へ導く第２傾斜部２７と有している。
【００４０】
また、第１ピン２１は、シートバック１６から突出自在となっている。すなわち、上述したように、第１ピン２１は、座部セクション１４上面に設けられた前側レバー２３（図３（ｄ）参照）と連動する。前側レバー２３が引っ張られない場合、第１ピン２１は、車両進行方向に対して直交する左右にシートバック１６の座部セクション１４から突出しており、前側レバー２３が引っ張られた場合、第１ピン２１は、シートバック１６の座部セクション１４の内側に引き込まれるようになっている。
【００４１】
具体的には、図１０（ａ）（ｂ）および図１１（ａ）（ｂ）に示すように、第１ピン２１の各々には、前側レバー２３側に延びた突出部２１ａが設けられており、当該突出部２１ａは、前側レバー２３に設けられた傾斜長穴４１内で移動自在に挿入されている。また、前側レバー２３には、前側レバー２３の動作方向に平行な方向に延びる一対の平行長穴４２が設けられ、当該平行長穴４２内には、前側レバー２３とシートバック１６から延びた突出棒５１との間に配置されたバネ５３が配置されている。
【００４２】
このため、図１０（ａ）（ｂ）に示すように、前側レバー２３が引っ張られていない場合、前側レバー２３はバネ５３の付勢力によって初期位置にあり、第１ピン２１は車両進行方向に対して直交する左右にシートバック１６の座部セクション１４から突出している。他方、図１１（ａ）（ｂ）に示すように、後側レバー２４がバネ５３の付勢力に抗して引っ張られた場合（図１０（ａ）の矢印Ａ３方向に移動した場合）、第１ピン２１は、シートバック１６の座部セクション１４の内側に引き込まれる（図１０（ａ）の矢印Ａ４方向に移動する）。
【００４３】
ところで、図１０（ａ）（ｂ）および図１１（ａ）（ｂ）において、外方から第１ピン２１に対して矢印Ａ４方向に力が加わると、前側レバー２３を矢印Ａ３方向に引っ張らなくても、第１ピン２１はシートバック１６の座部セクション１４の内側に引き込まれる。
【００４４】
また、図３（ｃ）において、第２ピン２２は、シートバック１６から突出自在となっている。すなわち、上述のように、後側レバー２４が引っ張られていない場合、第２ピン２２は、車両進行方向に対して直交する左右にシートバック１６から突出しており、後側レバー２４が引っ張られた場合、第２ピン２２は、シートバック１６の内側に引き込まれるようになっている。
【００４５】
具体的には、図８（ａ）（ｂ）および図９（ａ）（ｂ）に示すように、第２ピン２２は各々、Ｌ字型連結部６１の一端に連結されている。そして、当該Ｌ字型連結部６１は、後側レバー２４の幅方向の中心位置で、その他端が接続されている。また、後側レバー２４とシートバック１６との間にはバネ６３が配置されている。
【００４６】
このため、図８（ａ）（ｂ）に示すように、後側レバー２４が引っ張られていない場合、後側レバー２４はバネ６３の付勢力によって初期位置にあり、第２ピン２２は車両進行方向に対して直交する左右にシートバック１６から突出している。他方、図９（ａ）（ｂ）に示すように、後側レバー２４がバネ６３の付勢力に抗して引っ張られた場合（図８（ａ）の矢印Ａ１方向に移動した場合）、第２ピン２２は、シートバック１６の内側に引き込まれる（図８（ａ）の矢印Ａ２方向に移動する）。このとき、後側レバー２４には、バネ６３によって付勢力が働いている。
【００４７】
ところで、図８（ａ）（ｂ）および図９（ａ）（ｂ）において、外方から第２ピン２２に矢印Ａ２方向に力が加わると、前側レバー２３を矢印Ａ１方向に引っ張らなくても、第２ピン２２はシートバック１６の内側に引き込まれる。
【００４８】
また、図１２に示すように、係止穴部３０（立位穴３０ａ、中間穴３０ｂ、および寝位穴３０ｃ）は各々、受台１３を側方から見た場合、接続シャフト３２を中心とした半径Ｒの円周上に配置されている。なお、図１２は、上述のように、係止穴部３０と接続シャフト３２との関係を示す側方断面図である。
【００４９】
次に、このような構成からなる本実施の形態の作用について述べる。
（後向きの固定方法）
まず、図３（ｃ）および図５（ａ）（ｂ）（ｃ）を用いて、チャイルドシート１０を車両シート１２に対して後向きの状態で固定する方法について述べる。
【００５０】
まず、図５（ａ）に示すように、受台１３を車両シート１２に対して固定する。この場合、まず車両シートベルト１１のラップベルト１１ｂをラップベルト係合部１８に係合させる。次に、車両シートベルト１１のショルダーベルト１１ａを引き延ばし、ショルダーベルト１１ａを仮係合部１７に仮係合させる。
【００５１】
この場合、受台１３の湾曲部分１３ａは車両シート１２の座面１２ａ上にあり、受台１３の平坦部分１３ｂは車両シート１２の背面１２ｂ側にある。
【００５２】
次に、図３（ｃ）および図５（ｂ）に示すように、シートバック１６を受台１３上に車両シート１２に対して後向きの状態で固定する。この場合、まずシートバック１６を受台１３上方から受台１３上に載置し、第１ピン２１を第１穴２５に係止させるとともに第２ピン２２を第２穴２６に係止させる。この場合、上述したように第１穴２５上方に第１傾斜部２８が設けられ、かつ第２穴２６上方に第２傾斜部２７が設けられている。また、第１ピン２１は、シートバック１６の座部セクション１４から突出自在となっており、第２ピン２２は、シートバック１６の座部セクション１４と背部セクション１５との境界部分から突出自在となっている（図８（ａ）（ｂ）乃至図１１（ａ）（ｂ）参照）。このため、シートバック１６を上方から受台１３上へ押すだけで、予め外方へ突出した第１ピン２１が第１傾斜部２８上を滑って第１穴２５内に挿着され、かつ第２ピン２２が第２傾斜部２７上を滑って第２穴２６内に挿着される。この結果、シートバック１６を容易に受台１３上に固定することができる。
【００５３】
次に、図５（ｃ）に示すように、仮係合部１７に仮係合されているショルダーベルト１１ａを仮係合部１７から取外し、その後ショルダーベルト１１ａをショルダーベルト係合部１９に係合させる。
【００５４】
次に、車両シート１２に対するチャイルドシート１０の傾斜角を調整する。すなわち、車両シート１２の座面１２ａ上で、湾曲部分１３ａを中心に受台１３を揺動させて受台１３の傾きを変化させ、これにより、乳児Ｂを乗せるシートバック１６の車両シート１２に対する傾斜角を調整することができる。上述したように、湾曲部分１３ａが車両の進行方向に沿って湾曲しているので、チャイルドシート１０の傾斜角を容易に調整することができる。
【００５５】
また、シートバック１６を受台１３上から取外す場合、前側レバー２３および後側レバー２４を同時に引っ張りながらシートバック１６を受台１３から上昇させる。この際、第１ピン２１および第２ピン２２が前側レバー２３および後側レバー２４により各々内側に引き込まれ、これにより、それぞれ第１ピン２１と第１穴２５との係合および第２ピン２２と第２穴２６との係合を解除することができる。このようにして、シートバック１６を受台１３から取外すことができる。
【００５６】
（前向きの固定方法）
次に、図６を用いて、チャイルドシート１０を車両シート１２に対して前向きの状態で固定する方法について述べる。
【００５７】
まず、図６に示すように、受台１３を車両シート１２に対して固定する。この場合、車両シートベルト１１のラップベルト１１ｂをガイド部２０に係合させる。また、車両シートベルト１１のショルダーベルト１１ａを、車両シート１２の背面１２ｂ側において、受台１３に斜めに配置する。
【００５８】
この場合、受台１３の湾曲部分１３ａは車両シート１２の背面１２ｂ側にあり、受台１３の平坦部分１３ｂは車両シート１２の座面１２ａ上にある。
【００５９】
次に、シートバック１６を受台１３上に車両シート１２に対して前向きの状態で固定する。この場合、シートバック１６を上方から受台１３上に載置し、フック２９を接続シャフト３２に引っ掛けるとともに、第１ピン２１を第３傾斜部３１に沿って滑らせて係止穴部３０の立位穴３０ａまでもってきてこれに係止する。
【００６０】
ここで、第１ピン２１はシートバック１６の座部セクション１４から突出自在であり（図１０（ａ）（ｂ）および図１１（ａ）（ｂ）参照）、かつ受台１３は第１ピン２１を各係止穴部３０へ導く第３傾斜部３１を有している（図４（ｂ）（ｃ）参照）。このため、上述のようにシートバック１６を車両シート１２に対して前向き状態で載置するとき、シートバック１６を上方から受台１３上へ押すだけで、予め外方へ突出した第１ピン２１が第３傾斜部３１上を滑って係止穴部３０の立位穴３０ａ内に挿着される。この結果、シートバック１６を容易に受台１３上に固定することができる。
【００６１】
次に、受台１３に対するシートバック１６の傾斜角を調整する。この場合、まず、前側レバー２３を引っ張り、第１ピン２１を内側に引き込むことにより立位穴３０ａとの係止を解除する。次に、この状態でシートバック１６を手前側（車両の進行方向側）に引くことにより、受台１３内においてシートバック１６をフック２９を中心として揺動させ、第１ピン２１を中間穴３０ｂまたは寝位穴３０ｃに係止させる。この際第２ピン２２は、ガイド機構３３に沿ってガイドされる。このようにして、受台１３内においてシートバック１６をフック２９を中心に揺動させ、第１ピン２１を立位穴３０ａ、中間穴３０ｂ、または寝位穴３０ｃに係止させることにより、受台１３に対するシートバック１６の傾斜角を３段階に調整することができる。
【００６２】
従って、シートバック１６を受台１３（強いては車両シート１２）に対して、好ましい角度で保持することができる。すなわち、乳児をチャイルドシート１０に立位の状態で座らせたい場合には、第１ピン２１を最も下方に配置された立位穴３０ａに挿着し、乳児をチャイルドシート１０に寝位の状態で座らせたい場合には、第１ピン２１を最も上方に配置された寝位穴３０ｃに挿着する。また、乳児を立位の状態と寝位の状態の間の状態でチャイルドシート１０に座らせたい場合には、立位穴３０ａと寝位穴３０ｃとの間の中間穴３０ｂに第１ピン２１を挿着する。
【００６３】
また、図１２に示すように、受台１３の各係止穴部３０（立位穴３０ａ、中間穴３０ｂ、寝位穴３０ｃ）は、側方から見た場合、接続シャフト３２を中心とした半径Ｒの円周上に配置されている。このため、第１ピン２１が、立位穴３０ａ、中間穴３０ｂおよび寝位穴３０ｃのいずれに係合している場合であっても、シートバック１６のフック２９と受台１３の接続シャフト３２との間には間隙が形成されず、フック２９は接続シャフト３２に当接している。この結果、シートバック１６が受台１３に対してがたつくことを防止することができ、シートバック１６を受台１３に対して、堅固にかつ安定して設置することができる。
【００６４】
また、シートバック１６を受台１３上から取外す場合について述べる。この場合、第１ピン２１は立位穴３０ａに係止しているものとする。この状態で前側レバー２３を引っ張る。これにより、第１ピン２１が内側に引き込まれて立位穴３０ａとの係止を解除する。次に、シートバック１６を受台１３から上昇させることにより、フック２９を接続シャフト３２から離脱させる。このようにして、シートバック１６を受台１３から取外すことができる。
【００６５】
上述のように、第１ピン２１は、シートバック１６を受台１３に固定するために用いられるだけでなく、チャイルドシート１０を車両シート１２に対して前向きの状態で固定する場合に、受台１３に対するシートバック１６の傾斜角度を調整するためにも用いられる。
【００６６】
すなわち、本実施の形態によると、一つの部材（第１ピン２１）によって、シートバック１６を受台１３に固定するとともに、受台１３に対するシートバック１６の傾斜角度を調整することができる。このため、従来のように、受台１３に対するシートバック１６の傾斜角度を調整する調整機構を、シートバック１６を受台１３に固定する取付機構と別に設ける必要が無く、チャイルドシート１０の製造コストを軽減することができ、かつチャイルドシート１０をコンパクトにし軽量化することができる。
【００６７】
（衝突時の作用）
次に、図７を用いて、シートバック１６が車両シート１２に対して後向きの状態で固定されている場合における、衝突時の作用について説明する。
【００６８】
シートバック１６が車両シート１２に対して後向きの状態で固定されている場合に、仮に、車両が衝突したとする。この場合、上述したように、シートバック１６の背部セクション１５のうち、乳児Ｂが乗った場合のチャイルドシート１０の重心Ｇより上方に、ショルダーベルト１１ａを係合するショルダーベルト係合部１９が設けられている。また、受台１３の湾曲部分１３ａが、車両の進行方向に沿って湾曲している。
【００６９】
これにより、図７に示すように、受台１３およびシートバック１６がショルダーベルト係合部１９を中心として回動し、同時に受台１３の湾曲部分１３ａが車両シート１２の座面１２ａ上を滑動する。すなわち、車両の衝突の際、受台１３がショルダーベルト係合部１９を介してショルダーベルト１１ａにより保持されることにより、受台１３およびシートバック１６が車両の進行方向に移動しながら図７の矢印方向（時計回り方向）に回転する。これにより、シートバック１６の背部セクション１５が立ち上がるので、乳児Ｂは、自分の背中で衝撃を受けることができ、乳児Ｂへ加わるダメージを緩和することができる。
【００７０】
このように、本実施の形態によれば、シートバック１６が受台１３上に車両シート１２に後向きで固定される際、受台１３のうち車両シート１２の座面１２ａに当接する部分（湾曲部分）１３ａが、車両の進行方向に沿って湾曲しているので、シートバック１６の車両シート１２に対する角度を容易に調節することができる。
【００７１】
また、本実施の形態によれば、シートバック１６が受台１３上に車両シート１２に後向きで固定される際、受台１３のうち車両シート１２の座面１２ａに当接する部分（湾曲部分）１３ａが、車両の進行方向に沿って湾曲しているので、車両の衝突の際、シートバック１６の背部セクション１５が容易に立ち上がる。
【００７２】
さらに、本実施の形態によれば、シートバック１６の背部セクション１５のうち、乳児Ｂが乗った場合のチャイルドシート１０の重心Ｇより上方に、ショルダーベルト１１ａを係合するショルダーベルト係合部１９が設けられているので、シートバック１６と受台１３とを接続する接続部分（第１ピン２１、第１穴２５、第２ピン２２、および第２穴２６）への負荷を軽減することができる。また、車両の衝突の際、シートバック１６の背部セクション１５が立ち上がり、これにより乳児Ｂへ加わるダメージを緩和することができる。
【００７３】
さらにまた、本実施の形態によれば、受台１３にショルダーベルト１１ａを係合する仮係合部１７が設けられているので、車両シートベルト１１をシートバック１６の背部セクション１５に容易に取り付けることができる。
【００７４】
さらにまた、本実施の形態によれば、シートバック１６は受台１３上に車両シート１２に対して前向きに固定することが可能となっているので、子供の成長段階に合わせてチャイルドシート１０を適切に使用することができる。
【００７５】
ところで、上述した実施の形態では、係止部として、複数の係止穴３０ａ，３０ｂ，３０ｃからなる係止穴部３０を用いて説明したが、これに限ることなく、第１ピン２１と係合し、第１ピン２１を係止するものであれば、係止部として用いることができる。
【図面の簡単な説明】
【００７６】
【図１】本発明によるチャイルドシートの一実施の形態を示す側面図。
【図２】シートバックが受台上に車両シートに対して前向きに固定された状態を示す側面図。
【図３】シートバックが受台上に車両シートに対して後向きの状態で固定される場合におけるシートバックと受台との取付手段を示す図。
【図４】シートバックが受台上に車両シートに対して前向きの状態で固定される場合におけるシートバックと受台との取付手段を示す図。
【図５】チャイルドシートを車両シートに対して後向きの状態で固定する方法を示す斜視図。
【図６】チャイルドシートを車両シートに対して前向きの状態で固定する方法を示す斜視図。
【図７】本発明によるチャイルドシートの衝突時における作用を示す側面図。
【図８】本発明によるチャイルドシートの引っ張っていない状態の後側レバーを示した構成図。
【図９】本発明によるチャイルドシートの引っ張った状態の後側レバーを示した構成図。
【図１０】本発明によるチャイルドシートの引っ張っていない状態の前側レバーを示した構成図。
【図１１】本発明によるチャイルドシートの引っ張った状態の前側レバーを示した構成図。
【図１２】本発明によるチャイルドシートの係止穴部と接続シャフト（支軸）との関係を示す側方断面図。
【符号の説明】
【００７７】
１０        チャイルドシート
１１        車両シートベルト
１１ａ      ショルダーベルト
１１ｂ      ラップベルト
１２        車両シート
１２ａ      座面
１２ｂ      背面
１３        受台
１３ａ      湾曲部分
１３ｂ      平坦部分
１４        座部セクション
１５        背部セクション
１６        シートバック
１７        仮係合部
１８        ラップベルト係合部
１９        ショルダーベルト係合部
２０        ガイド部
２１        第１ピン
２２        第２ピン
２３        前側レバー
２４        後側レバー
２５        第１穴
２６        第２穴
２７        第２傾斜部
２８        第１傾斜部
２９        フック
３０        係止穴部
３０ａ      立位穴
３０ｂ      中間穴
３０ｃ      寝位穴
３１        第３傾斜部
３２        接続シャフト
３３        ガイド機構
【図１】
2008168849.tif 000003
【図２】
2008168849.tif 000004
【図３】
2008168849.tif 000005
【図４】
2008168849.tif 000006
【図５】
2008168849.tif 000007
【図６】
2008168849.tif 000008
【図７】
2008168849.tif 000009
【図８】
2008168849.tif 000010
【図９】
2008168849.tif 000011
【図１０】
2008168849.tif 000012
【図１１】
2008168849.tif 000013
【図１２】
2008168849.tif 000014